(57)【要約】【課題】夏場の４０℃の大気温度にも耐えうる性能の設備機器の導入によるコストアップを抑制でき、夏場の大幅な化石燃料による電気エネルギー消費を抑えられ、莫大な数の空気タンクを用意せずに空冷式排熱処理装置の空気冷却を効率よく行うことができ、自然エネルギーをより安定的に利用することが可能な空冷式排熱処理装置を提供する。【解決手段】燃料電池用排熱処理装置システム３０において、建屋２１の室内空気を屋外に設置された空冷式排熱処理装置６へ供給する室内空気供給口２７を設ける。空冷式排熱処理装置６の冷却のための電源として、太陽電池発電装置２２等と風力発電装置２６とを設置し、発電させた電気エネルギーを空冷式排熱処理装置６へ供給する。気温上昇による空冷式排熱処理装置６の冷却能力が低下した際に、工場全体の室内空気を空気タンクの役目をさせながら、室内空気供給口２７を介して空冷式排熱処理装置６へ供給する。【選択図】  図１
2009081042.tif 000002
【特許請求の範囲】
【請求項１】
発生した排熱を冷却する空冷式排熱処理装置であって、該空冷式排熱処理装置が設置された屋外の気温より低い温度の空気を該空冷式排熱処理装置へ供給することを特徴とする空冷式排熱処理装置。
【請求項２】
請求項１記載の空冷式排熱処理装置において、該空冷式排熱処理装置は排熱が発生した建屋の屋外に設置されており、該建屋と該空冷式排熱処理装置とを繋ぐ空気供給口を介して屋外の気温より低い温度の該建屋内の空気を該空冷式排熱処理装置へ供給することを特徴とする空冷式排熱処理装置。
【請求項３】
請求項１又は２記載の空冷式排熱処理装置において、該空冷式排熱処理装置の電源として、複数種類の自然エネルギーによる発電装置を併用又は選択的に用いることを特徴とする空冷式排熱処理装置。
【請求項４】
請求項３記載の空冷式排熱処理装置において、前記発電装置は太陽電池発電装置及び風力発電装置であることを特徴とする空冷式排熱処理装置。
【請求項５】
請求項１乃至４のいずれかに記載の空冷式排熱処理装置において、排熱は燃料電池発電システム内で発生した排熱であることを特徴とする空冷式排熱処理装置。
【発明の詳細な説明】
【技術分野】
【０００１】
本発明は、発生した排熱を冷却する空冷式排熱処理装置に関し、特に燃料電池発電システムで発生した排熱を冷却する空冷式排熱処理装置に関する。
【背景技術】
【０００２】
燃料電池発電システム内で排熱処理装置により冷却される冷却水系には以下のようなものがある。燃料電池本体の温度をコントロールするために電極反応により発生する熱を冷却する電池冷却水系、都市ガス等の燃料ガスを水素リッチなガスへ改質する改質装置の燃焼後の排ガスを冷却し水回収するための排ガス冷却水系等がある。これらの冷却水系の冷却は、熱交換器を介して外部の空冷式排熱処理装置で行っている。
【０００３】
図２は、従来の燃料電池発電システム（燃料電池本体）１における空冷式排熱処理装置６を示す。図２において、符号１は燃料電池発電システム、２は電池冷却水系（不図示）からの高温水用の高温水熱交換器、４ａは高温水を循環させるための高温水循環ポンプ、８は空冷式排熱処理装置６内の高温水用冷却器、５ａは高温水用流量制御弁、３は排ガス冷却水系（不図示）からの低温水用の低温水熱交換器、４ｂは低温水を循環させるための低温水循環ポンプ、９は空冷式排熱処理装置６内の低温水用冷却器、５ｂは低温水用流量制御弁、７は空冷式冷却ファン、１０は冷却ファンモータである。
【０００４】
図２に示されるように、電池冷却水系からの高温水の排熱は高温水熱交換器２によって回収され、高温水循環ポンプ４ａにより空冷式排熱処理装置６内の高温水用冷却器８へ送出される。続いて、冷却ファンモータ１０で回転された空冷式冷却ファン７により冷却された後、高温水用流量制御弁５ａを介して高温水熱交換器２へ戻される。同様にして、排ガス冷却水系からの低温水の排熱は低温水熱交換器３によって回収され、低温水循環ポンプ４ｂにより空冷式排熱処理装置６内の低温水用冷却器９へ送出される。続いて、冷却ファンモータ１０で回転された空冷式冷却ファン７により冷却された後、低温水用流量制御弁５ｂを介して低温水熱交換器３へ戻される。以上のように、電池冷却水系の高温水の排熱と排ガス冷却系の低温水の排熱との二種類の温度の異なる排熱は、空冷式排熱処理装置６の空冷式冷却ファン７により冷却され、再度高温水熱交換器２または低温水熱交換器３へ戻されて高温水熱交換器２または低温水熱交換器３の冷却媒体に利用される。
【０００５】
大気温度は気候変化により温度変化を起こし、夏場においては大気温度が４０℃以上にも達する。気象庁発表の気温は３０℃であっても、路面上に設置された空気を利用もしくは供給する設備の周辺の大気温度は４０℃以上になることも稀ではない。空気を冷却もしくは圧縮等に利用する設備では、夏場の温度上昇に対する冷却エネルギーの増加、空気密度の低下に起因する空気圧縮量の低下による送風量の減少等から圧縮エネルギーの増加等が起こる。
【０００６】
図３は、大気温度（℃）と上述した空冷式排熱処理装置６の能力（最大除熱量／ＫＷ）との関係を示す。図３に示されるデータは、１００ＫＷリン酸形燃料電池（Phosphoric Acid Fuel Cell : ＰＡＦＣ）発電システムから発生する排熱を空冷式排熱処理装置６により冷却する際の冷却能力を示すものであり、冷却は１００ＫＷで発生する熱量を適切な伝熱面積で検討した冷却ファンによる。図３に示されるように、大気温度が３０℃の場合の最大除熱量（１００／ＫＷ）と大気温度が４０℃の場合の最大除熱量（７５０／ＫＷ）とを比較する明らかなように、大気温度が１０℃の差であっても最大徐熱量は２５％も低下してしまう。現状の空冷式排熱処理装置６自体の使用電力は１０ＫＷ／ｈ相当の機器を使用しているため、大気温度が４０℃であっても３０℃と同等の冷却能力にするには、２５％処理能力の高い冷却装置に変更しなければならない。燃料電池本体１で得られる１００ＫＷに対して排熱処理に１０％程度のロスとなる電力を必要とすることから、大気温度が１０℃上昇するだけでもエネルギー使用量は大幅に増加することとなり、無駄なエネルギーの使用を引き起こしている。このような状況は、燃料電池発電装置に限らず、空気コンプレッサーを利用する様々な装置または設備、例えばエアコン、生産工場等の送風および反応空気に利用する化学プラント、好気性微生物処理を行う下水、し尿処理施設等においても同様であり、夏場の大気温度上昇はエネルギー使用量の増加の要因になっている。
【０００７】
電気機器はその使用温度が４０℃以下で用いるものが多く、諸設備の能力は３０℃前後で設計し用いることが前提になっていることが多い。ところが最近の夏場の異常気象により、屋外の路面は４０℃に達することがある。この４０℃にも達した空気を空冷式排熱処理装置６の空気冷却に用いると、図３に示すように大幅な空気冷却の性能低下を起こしてしまうことになる。上述した１００ＫＷリン酸形燃料電池の排熱処理に使用する空冷式冷却ファン７の送風量はおおよそ７００ｍ３／ｍｉｎ にもなるため、通常の空気タンク等を設けると莫大な数を用意しなければならないことになる。
【０００８】
上述の空冷式排熱処理装置６を稼動させるためには、使用機器として、高温水循環ポンプ４ａおよび低温水循環ポンプ４ｂ、冷却ファンモータ１０、空冷式冷却ファン７、高温水用流量制御弁５ａおよび低温水用流量制御弁５ｂ、空冷式排熱処理装置６全体の制御装置、凍結防止ヒータ等の動力源として電力供給が必要である。従来、電力供給に必要なエネルギーは化石燃料から得た電気エネルギーを利用しており、この電気エネルギーを動力源として空冷式排熱処理装置６を稼動させている。
【０００９】
化石燃料にのみ頼ることなく、無限で無公害な自然エネルギーから電気エネルギーを得ることにより省エネルギーを図る試みとして、従来から燃料電池と自然エネルギー（太陽電池等）とを併用する試みが行なわれている。特許文献１には、燃料電池と太陽電池とを組み合わせて植物栽培環境の２４時間調節を行う農業用ビニルハウスについて記載されている。この農業用ビニルハウスでは昼間は太陽電池の電力を優先して使用している。特許文献２には、燃料電池と太陽電池とを備えた給電システムについて記載されている。この給電システムでは太陽電池からの余剰電力により水を分解して水素を発生させ、燃料電池に供給している。特許文献３には、燃料電池の電解槽が太陽電池と風力発電装置とに接続され、水を電気分解して水素を生成し、燃料電池へ送気する発電システムが記載されている。
【００１０】
【特許文献１】特開２００１−２５８３９０号公報
【特許文献２】特開２００２−７５３８８号公報
【特許文献３】特開２００１−２６６９２３号公報
【発明の開示】
【発明が解決しようとする課題】
【００１１】
上述したように、現状の空冷式排熱処理装置６自体の使用電力は１０ＫＷ／ｈ相当の機器を使用しているため、大気温度が４０℃であっても３０℃と同等の冷却能力にするには、２５％処理能力の高い冷却装置に変更しなければならない。４０℃の大気温度にも耐えうる性能の設備機器を導入するためにはコストアップが避けられないという問題があった。さらに、夏場の大幅な化石燃料による電気エネルギー消費を抑えることができないという問題があった。
【００１２】
上述したように、最近の夏場の異常気象により屋外の路面は４０℃に達することがある。この４０℃にも達した空気を空冷式排熱処理装置６の空気冷却に用いると、図３に示すように大幅な空気冷却の性能低下を起こしてしまうことになる。上述した１００ＫＷリン酸形燃料電池の排熱処理に使用する空冷式冷却ファン７の送風量はおおよそ７００ｍ３／ｍｉｎ にもなるため、通常の空気タンク等を設けると莫大な数を用意しなければならないことになるという問題があった。
【００１３】
上述の空冷式排熱処理装置６を稼動させるためには、動力源として電力供給が必要である。化石燃料にのみ頼ることなく、無限で無公害な自然エネルギーから電気エネルギーを得ることにより省エネルギーを図る試みとして、従来、燃料電池と自然エネルギー（太陽電池等）とを併用する試みが行なわれている。しかし、太陽電池による発電は天候に左右されるため、常に安定な発電量を維持することはできないという問題があった。
【００１４】
そこで、本発明の目的は、上記問題を解決するためになされたものであり、夏場の４０℃の大気温度にも耐えうる性能の設備機器を導入するためのコストアップを抑制することができ、さらに夏場の大幅な化石燃料による電気エネルギー消費を抑えることができる空冷式排熱処理装置を提供することにある。
【００１５】
本発明の第２の目的は、最近の夏場の異常気象による４０℃にも達した空気を冷却に用いることなく、莫大な数の空気タンクを用意しなくても空気冷却を効率よく行うことができる空冷式排熱処理装置を提供することにある。
【００１６】
本発明の第３の目的は、空冷式排熱処理装置を稼動させるための動力源として、化石燃料に頼ることなく、無限で無公害な自然エネルギーをより安定的に利用することが可能な空冷式排熱処理装置を提供することにある。
【課題を解決するための手段】
【００１７】
この発明の空冷式排熱処理装置は、発生した排熱を冷却する空冷式排熱処理装置であって、該空冷式排熱処理装置が設置された屋外の気温より低い温度の空気を該空冷式排熱処理装置へ供給することを特徴とする。
【００１８】
ここで、この発明の空冷式排熱処理装置において、該空冷式排熱処理装置は排熱が発生した建屋の屋外に設置されており、該建屋と該空冷式排熱処理装置とを繋ぐ空気供給口を介して屋外の気温より低い温度の該建屋内の空気を該空冷式排熱処理装置へ供給することができる。
【００１９】
ここで、この発明の空冷式排熱処理装置において、該空冷式排熱処理装置の電源として、複数種類の自然エネルギーによる発電装置を併用又は選択的に用いることができる。
【００２０】
ここで、この発明の空冷式排熱処理装置において、前記発電装置は太陽電池発電装置及び風力発電装置とすることができる。
【００２１】
ここで、この発明の空冷式排熱処理装置において、排熱は燃料電池発電システム内で発生した排熱であるものとすることができる。
【発明の効果】
【００２２】
本発明の空冷式排熱処理装置によれば、燃料電池用排熱処理装置システムにおいて、建屋の室内空気を建屋の屋外に設置された空冷式排熱処理装置へ供給する室内空気供給口を設けておく。さらに、空冷式排熱処理装置の冷却のための電源（動力源）として、昼間は太陽光により発電が可能な太陽電池発電装置を空冷式排熱処理装置の運転に必要な台数分設置して、動力源として利用する。天候により発電電力量が一定でない太陽電池発電であり、夜間では利用ができないことを考慮して、単独で屋外に風力発電装置を設置し、発電させた電気エネルギーを空冷式排熱処理装置へ供給する。最近の夏場の異常気象により、大気温度が４０℃にも達した場合であっても、大規模工場および市場等の直射日光が当らない広い構築物内、例えば建屋内の温度は３５℃以下におさまっているため、この建屋の室内空気を冷却および圧縮する設備、例えば空冷式排熱処理装置へ室内空気供給口を介して供給することにより、設備能力低下を少しでも抑えることができる。即ち、気温上昇による空冷式排熱処理装置の冷却能力が低下した際に、工場全体（建屋）の室内空気を空気タンクの役目をさせながら、空冷式排熱処理装置へ効率よく供給して使用することにより冷却効果の低下を防止する。この結果、莫大な数の空気タンクを用意しなくても空冷式排熱処理装置の空気冷却を効率よく行うことができるという効果がある。空冷式排熱処理装置の冷却のための電源は太陽電池発電装置および／または風力発電装置等の自然エネルギーを利用することにより、無限で無公害な自然エネルギーをより安定的に利用することが可能となるという効果がある。この結果、夏場の急激な化石燃料による電気エネルギー消費を抑えることができ、夏場の４０℃の大気温度にも耐えうる性能の設備機器を導入することによるコストアップを抑制することができるという効果がある。
【発明を実施するための最良の形態】
【００２３】
以下、空冷式排熱処理装置として燃料電池発電システムにおける空冷式排熱処理装置を採り上げて、実施例について図面を参照して詳細に説明する。
【実施例１】
【００２４】
一般に、燃料電池用排熱処理装置は空冷式冷却ファンを用いて冷却するが、毎分数百ｍ３の空気が放出される上、空冷式冷却ファンの風圧およびその騒音のため、屋外に設置するのが通例である。同様に、太陽電池発電装置は太陽光を利用するため、屋外に設置して利用するのが通例である。
【００２５】
図１は本発明の実施例１における燃料電池用排熱処理装置システム３０を示す。図１で図２と同じ符号を付した箇所は同じ要素を示すため説明は省略する。図１において、符号２１は燃料電池発電システム１が設置された建屋、２２は建屋２１の屋根に取り付けられた屋根用太陽電池モジュール、２３は建屋２１の壁に取り付けられた壁用太陽電池モジュール、３２は高温水熱交換器２から排熱を送り出す高温水配管、３３は低温水熱交換器３から排熱を送り出す低温水配管、２７は建屋２１の室内空気を建屋２１の屋外に設置された空冷式排熱処理装置６へ供給する室内空気供給口、２４ａは建屋２１の屋外に設置された空冷式排熱処理装置６の装置パネルに取り付けられた装置パネル付け太陽電池モジュール、１１は建屋２１の屋外に設置された屋外用燃料電池本体、２４ｂは屋外用燃料電池本体１１の装置パネルに取り付けされた装置パネル付け太陽電池モジュール、２４ｃは屋外用燃料電池本体１１の屋根に取り付けされた屋根付け太陽電池モジュール、２５は建屋２１の屋外に設置された屋外設置太陽電池モジュール、２６は建屋２１の屋外に設置された風力発電装置、２０は太陽光である。
【００２６】
図１に示されるように、燃料電池発電システム１の高温水熱交換器２および低温水熱交換器３から各々外部へ取り出した高温水配管３２および低温水配管３３を空冷式排熱処理装置６へ導き、高温水用冷却器８（図１参照）側で９０℃から４０℃程度に、低温水用冷却器９（図１参照）側で６０℃から４０℃程度に冷却を行う。
【００２７】
上述したように、最近の夏場の異常気象により、気象庁の気温データが３０〜３３℃であっても屋外の路面は４０℃に達することがある。この４０℃にも達した空気を空冷式排熱処理装置６の空気冷却に用いると、図３に示すように大幅な空気冷却の性能低下を起こしてしまうことになる。しかし、空調設備はなくとも大規模工場および市場等の直射日光が当らない広い構築物内、例えば建屋２１内の温度は３５℃以下におさまっているため、この建屋２１の室内空気を冷却および圧縮する設備、例えば空冷式排熱処理装置６へ室内空気供給口２７を介して供給することにより、設備能力低下を少しでも抑えるようにする。即ち、気温上昇による空冷式排熱処理装置６の冷却能力が低下した際に、工場全体（建屋２１）の室内空気を空気タンクの役目をさせながら、空気供給口２７を介して空冷式排熱処理装置６へ効率よく供給して使用することにより冷却効果の低下を防止することが狙いである。この結果、最近の夏場の異常気象による４０℃にも達した空気を空冷式排熱処理装置６の空気冷却に用いることなく、莫大な数の空気タンクを用意しなくても空冷式排熱処理装置６の空気冷却を効率よく行うことができる。
【００２８】
例えば４０℃から３５℃へ冷却用空気の温度下げるエネルギーを計算すると、１００ＫＷリン酸形燃料電池の排熱処理装置６に必要な除熱量は約７３ＫＷｈにもなる。この７３ＫＷｈ相当のエネルギーは以下のように算出したものである。１００ＫＷリン酸形燃料電池の排熱処理装置６に適する空気冷却ファン７の能力は伝熱面積から計算すると、７００ｍ３／ｍｉｎである。これを例えば供給する空気が４０℃から３５℃へ下げる場合、Ｑを空気量、γを比重、Ｃｐを比熱、ΔＴを温度差とすると、式１のようになる。
【００２９】
Ｑ×γ×Ｃｐ×△Ｔ
＝ ７００（ｍ３／ｍｉｎ）×１．２×０．２４×（４０℃−３５℃）×６０ｍｉｎ
＝６３０７５Ｋｃａｌ／ｈ＝６３０７２／８６０＝７３ＫＷｈ        （１）
【００３０】
計算例に示されるように、わずか５℃温度を下げるために１００ＫＷリン酸形燃料電池発電装置の排熱処理用の空気冷却に７３ＫＷの電力を必要とする。従って、空気を冷却して供給することは逆にエネルギーの無駄となる。このため、気温上昇による空冷式排熱処理装置６の冷却能力が低下した際に、工場全体（建屋２１）の室内空気を空気タンクの役目をさせながら、空気供給口２７を介して空冷式排熱処理装置６へ効率よく供給して使用すればよい。以上のように、自然エネルギーを利用して年間にわずかしかない気温が４０℃以上になる夏場に工場全体（建屋２１）の室内空気を利用すれば、通常の日本国で使用する設備の設定する温度の設備効率から想定した気温を超えた時期にのみ対応することができるようになる。即ち、化石燃料の無駄遣いを止め、地球温暖化に少しでも役立つことができる省エネルギー技術であると言うことができる。
【００３１】
空冷式排熱処理装置６の冷却のための電源（動力源）として、昼間は太陽光２０により発電が可能な太陽電池発電装置（屋根用太陽電池モジュール２２、壁用太陽電池モジュール２３、装置パネル付け太陽電池モジュール２４ａおよび２４ｂ、屋根付け太陽電池モジュール２４ｃ、屋外設置太陽電池モジュール２５等）を空冷式排熱処理装置６の運転に必要な台数分設置して、動力源として利用する。さらに、天候により発電電力量が一定でない太陽電池発電であり、夜間では利用ができないことを考慮して、単独で屋外に風力発電装置２６を設置し、発電させた電気エネルギーを空冷式排熱処理装置６へ供給する。太陽電池発電装置２２等と風力発電装置２６と同時に併用してもよく、または選択的に使用してもよい。太陽電池発電装置２２等、風力発電装置２６以外の自然エネルギーを同様に選択的または併用して用いることもできる。以上のように、空冷式排熱処理装置６の冷却のための電源は太陽電池発電装置（屋根用太陽電池モジュール２２等）および風力発電装置２６等の自然エネルギーを利用することにより、化石燃料に頼ることなく、無限で無公害な自然エネルギーをより安定的に利用することが可能となる。この結果、夏場の４０℃の大気温度にも耐えうる性能の設備機器を導入することによるコストアップを抑制することができ、さらに夏場の急激な化石燃料による電気エネルギー消費を抑えることができる。しかも、夏場を除く通常の季節でも太陽電池発電装置（屋根用太陽電池モジュール２２等）および風力発電装置２６等の自然エネルギーを利用することにより年間の化石燃料消費を抑制することができる。
【００３２】
以上より、本発明の実施例１によれば、燃料電池用排熱処理装置システム３０において、建屋２１の室内空気を建屋２１の屋外に設置された空冷式排熱処理装置６へ供給する室内空気供給口２７を設けておく。さらに、空冷式排熱処理装置６の冷却のための電源（動力源）として、昼間は太陽光２０により発電が可能な太陽電池発電装置（屋根用太陽電池モジュール２２、壁用太陽電池モジュール２３、装置パネル付け太陽電池モジュール２４ａおよび２４ｂ、屋根付け太陽電池モジュール２４ｃ、屋外設置太陽電池モジュール２５等）を空冷式排熱処理装置６の運転に必要な台数分設置して、動力源として利用する。天候により発電電力量が一定でない太陽電池発電であり、夜間では利用ができないことを考慮して、単独で屋外に風力発電装置２６を設置し、発電させた電気エネルギーを空冷式排熱処理装置６へ供給する。最近の夏場の異常気象により、大気温度が４０℃にも達した場合であっても、大規模工場および市場等の直射日光が当らない広い構築物内、例えば建屋２１内の温度は３５℃以下におさまっているため、この建屋２１の室内空気を冷却および圧縮する設備、例えば空冷式排熱処理装置６へ室内空気供給口２７を介して供給することにより、設備能力低下を少しでも抑えることができる。即ち、気温上昇による空冷式排熱処理装置６の冷却能力が低下した際に、工場全体（建屋２１）の室内空気を空気タンクの役目をさせながら、空冷式排熱処理装置６へ効率よく供給して使用することにより冷却効果の低下を防止する。この結果、莫大な数の空気タンクを用意しなくても空冷式排熱処理装置６の空気冷却を効率よく行うことができる。
【００３３】
空冷式排熱処理装置６の冷却のための電源は太陽電池発電装置（屋根用太陽電池モジュール２２等）および風力発電装置２６等の自然エネルギーを利用することにより、無限で無公害な自然エネルギーをより安定的に利用することが可能となる。この結果、夏場の急激な化石燃料による電気エネルギー消費を抑えることができ、夏場の４０℃の大気温度にも耐えうる性能の設備機器を導入することによるコストアップを抑制することができる。しかも、夏場を除く通常の季節でも太陽電池発電装置（屋根用太陽電池モジュール２２等）および風力発電装置２６等の自然エネルギーを利用することにより年間の化石燃料消費を抑制することができる。
【産業上の利用可能性】
【００３４】
本発明の活用例として、燃料電池発電システムにおける空冷式排熱処理装置への適用が挙げられる。燃料電池としてはリン酸形燃料電池（ＰＡＦＣ）が適用対象として挙げられる。あるいは、空気コンプレッサーを利用する様々な装置または設備、例えばエアコン、生産工場等の送風および反応空気に利用する化学プラント、好気性微生物処理を行う下水、し尿処理施設等に対する適用も挙げられる。
【図面の簡単な説明】
【００３５】
【図１】本発明の実施例１における燃料電池用排熱処理装置システム３０を示す図である。
【図２】従来の燃料電池発電システム１における空冷式排熱処理装置６を示す図である。
【図３】大気温度（℃）と空冷式排熱処理装置６の能力（最大除熱量／ＫＷ）との関係を示す図である。
【符号の説明】
【００３６】
１  燃料電池発電システム、  ２  高温水熱交換器、  ３  低温水熱交換器、  ４ａ  高温水循環ポンプ、  ４ｂ  低温水循環ポンプ、  ５ａ  高温水用流量制御弁、  ５ｂ  低温水用流量制御弁、  ６  空冷式排熱処理装置、  ７  空冷式冷却ファン、  ８  高温水用冷却器、  ９  低温水用冷却器、  １０  冷却ファンモータ、  １１  屋外用燃料電池本体、  ２０  太陽光、  ２１  建屋、  ２２  屋根用太陽電池モジュール、  ２３  壁用太陽電池モジュール、  ２４ａ、２４ｂ  装置パネル付け太陽電池モジュール、  ２４ｃ  屋根付け太陽電池モジュール、  ２５  屋外設置太陽電池モジュール、  ２６  風力発電装置、  ２７  室内空気供給口、  ３０  燃料電池用排熱処理装置システム、  ３２  高温水配管、  ３３  低温水配管。
【図１】
2009081042.tif 000003
【図２】
2009081042.tif 000004
【図３】
2009081042.tif 000005